(57)【要約】      （修正有）【課題】貝類挿入止具群から順に取り外す貝類挿入止具単体の個別分離を容易とし、貝類挿入止具群から貝類挿入止具単体が破断したり、外れたりすることを回避することができ、量産性にも優れた貝類挿入止具を提供する。【解決手段】貝類挿入止具は、棒状の基体２と、基体２に設けた吊下体２０への挿通状態で吊下体２０の外周部に係止する吊下体係止突片３と、基体２における吊下体係止突片３よりも端部側から吊下体係止突片３側に向けて突設した貝類３０用の受止片と、貝類３０用の受止片の一部に設けた突出端側を曲がり易くする凹溝部５と、を合成樹脂材等により形成する。又、吊下体２０へ挿通し、受止片に貝類３０を掛け止める貝類挿入止具単体１を多数有し、隣り合う貝類挿入止具単体１間を、可撓性を有する紐状の繋片１１で並列配置に一体成形により連結して貝類挿入止具群形態とし、繋片１１の一方側の貝類挿入止具単体１との連結部を膨出連結部１１ａとし、他方側の貝類挿入止具単体１との連結部を直結連結部とする。【選択図】図６
0003164231.tif 000002
【実用新案登録請求の範囲】
【請求項１】
棒状の基体と、該基体に設けた吊下体への挿通状態で吊下体の外周部に係止する吊下体係止突片と、前記基体における前記吊下体係止突片よりも端部側から吊下体係止突片側に向けて突設した貝類用の受止片と、貝類用の受止片の一部に設けたこの受止片の突出端側を曲がり易くする凹溝部と、を合成樹脂材等により形成し、吊下体へ挿通して吊下体からの突出部分で貝類を掛け止める貝類挿入止具単体を多数有するとともに、
隣り合う貝類挿入止具単体間を、合成樹脂材等からなり可撓性を有する紐状の繋片で並列配置に一体成形により連結して貝類挿入止具群形態とし、
前記繋片の一方側の貝類挿入止具単体との連結部を膨出連結部とし、他方側の貝類挿入止具単体との連結部を直結連結部として、前記膨出連結部、直結連結部が規則的に繰り返し配列される形態としたこと、
を特徴とする貝類挿入止具。
【請求項２】
棒状の基体と、該基体の中央側に設けた吊下体への挿通状態で吊下体の外周部に係止する一対の吊下体係止突片と、前記基体における前記一対の吊下体係止突片よりも端部側から各吊下体係止突片側に向けて突設した貝類用の一対の受止片と、前記一対の受止片の一部に設けた各受止片の突出端側を曲がり易くする凹溝部と、を合成樹脂材等により形成し、吊下体へ挿通して一対の吊下体係止突片を吊下体両側に係止するとともに、吊下体から外方へ突出する一対の受止片により貝類を掛け止める貝類挿入止具単体を多数有するとともに、
隣り合う貝類挿入止具単体間において、一方の貝類挿入止具単体の一対の吊下体係止突片よりも内側位置と、他方の貝類挿入止具単体の基体における一対の吊下体係止突片の突出位置より内側で、かつ、裏側位置とを、合成樹脂材等からなり可撓性を有する一対の紐状で前記吊下体係止突片よりも細いサイズの繋片で並列配置に一体成形により連結して貝類挿入止具群形態とし、
前記各繋片の一方側の貝類挿入止具単体との連結部を各々半球状又は略半球状の膨出連結部とし、他方側の貝類挿入止具単体の基体裏側の連結部を各々直結連結部として、前記膨出連結部、直結連結部が規則的に繰り返し配列される形態としたこと、
を特徴とする貝類挿入止具。
【請求項３】
棒状の基体と、該基体の中央側に設けた吊下体への挿通状態で吊下体の外周部に係止する一対の吊下体係止突片と、前記基体における前記一対の吊下体係止突片よりも端部側から各吊下体係止突片側に向けて突設した貝類用の一対の受止片と、前記一対の受止片の一部に設けた各受止片の突出端側を曲がり易くする凹溝部と、を合成樹脂材等により形成し、吊下体へ挿通して一対の吊下体係止突片を吊下体両側に係止するとともに、吊下体から外方へ突出する一対の受止片により貝類を掛け止める貝類挿入止具単体を多数有するとともに、
隣り合う貝類挿入止具単体間において、一方の貝類挿入止具単体の一対の吊下体係止突片よりも内側位置と、他方の貝類挿入止具単体の基体における一対の吊下体係止突片の突出位置より内側で、かつ、裏側位置とを、合成樹脂材等からなり可撓性を有する一対の紐状で前記吊下体係止突片よりも細いサイズの繋片で並列配置に一体成形により連結して貝類挿入止具群形態とし、
前記各繋片の一方側の貝類挿入止具単体との連結部を各々半球状又は略半球状の膨出連結部とし、他方側の貝類挿入止具単体との連結部を各々直結連結部として、前記膨出連結部、直結連結部が規則的に繰り返し配列される形態とし、
前記貝類挿入止具群を連結方向に巻回して外観が筒体状又は柱体状を呈する構成としたこと、
を特徴とする貝類挿入止具。
【請求項４】
棒状の基体と、該基体の中央側に設けた吊下体への挿通状態で吊下体の外周部に係止するハの字状を呈する一対の吊下体係止突片と、前記基体における前記一対の吊下体係止突片よりも端部側から各吊下体係止突片側に向けて突設した貝類用の一対の受止片と、前記一対の受止片の一部に設けた各受止片の突出端側を曲がり易くする凹溝部と、を合成樹脂材等により形成し、吊下体へ挿通して一対の吊下体係止突片を吊下体両側に係止するとともに、吊下体から外方へ突出する一対の受止片により貝類を掛け止める貝類挿入止具単体を多数有するとともに、
隣り合う貝類挿入止具単体間において、一方の貝類挿入止具単体の一対のハの字状を呈する吊下体係止突片よりも内側位置と、他方の貝類挿入止具単体の基体における一対の吊下体係止突片の突出位置より内側で、かつ、裏側位置とを、合成樹脂材等からなり可撓性を有し紐状で前記吊下体係止突片よりも細いサイズで、かつ、一方の貝類挿入止具単体側がハの字状を呈し、他方の貝類挿入止具単体側が直状を呈する一対の繋片で並列配置に一体成形により連結して貝類挿入止具群形態とし、
前記各繋片の一方側の貝類挿入止具単体との連結部を各々半球状又は略半球状の膨出連結部とし、他方側の貝類挿入止具単体との連結部を各々直結連結部として、前記膨出連結部、直結連結部が規則的に繰り返し配列される形態とし、
前記貝類挿入止具群を連結方向に巻回して外観が筒体状又は柱体状を呈する構成としたこと、
を特徴とする貝類挿入止具。
【考案の詳細な説明】
【技術分野】
【０００１】
本考案は、貝類挿入止具に関し、詳しくは、帆立貝、真珠貝等の各種貝類の養殖に用いられる貝類挿入止具に関するものである。
【背景技術】
【０００２】
従来、帆立貝等の貝類の養殖を行う際には、海中に水平方向に張ったロープから編ロープ等の吊下体を垂れ下げ、この吊下体に合成樹脂材等からなる多数の貝類挿入止具を挿入し、更に各貝類挿入止具に設けた受止片に帆立貝等の貝類に開けた穴を挿入することで貝類を海中で係止する耳吊養殖と称される方法が行われている。
【０００３】
このような貝類の養殖を行うための貝類挿入止具やこの貝類挿入止具を多数並設した貝類挿入止具群は従来から提案されて実用に供されている。
【０００４】
本願出願人は、先に特許文献１において、吊下体へ挿通されるとともに、吊下体からの突出部分で貝類を掛け止める合成樹脂材等からなる貝類挿入止具であって、棒状の基体と、該基体に設けた吊下体への挿通状態で吊下体の外周部に係止する吊下体係止突片と、前記基体における前記吊下体係止突片よりも端部側から吊下体係止突片側に向けて突設した貝類用の受止片と、貝類用の受止片の一部に設けたこの受止片の突出端側を内側又は外側に曲がり易くする凹溝部とを有する貝類挿入止具単体を多数備え、個々の基体における吊下体係止突片の両側位置２箇所間を各々可撓性を有する繋片で並列配置に連結して貝類挿入止具単体が多数並列した貝類挿入止具群とし、この貝類挿入止具群を連結方向に巻回して外観が筒体状又は柱体状を呈する構成とした貝類挿入止具を提案している。
【先行技術文献】
【特許文献】
【０００５】
【特許文献１】登録実用新案第３１０９９４８号公報
【考案の概要】
【考案が解決しようとする課題】
【０００６】
本考案は、上述した特許文献１において提案した貝類挿入止具の改良に係るものであり、貝類挿入止具群を構成する貝類挿入止具単体のうち、順に取り外す貝類挿入止具単体の個別分離を容易とし、かつ、後続する貝類挿入止具単体の破断防止、離脱防止を図り、貝類挿入止具群から貝類挿入止具単体が破断したり、外れたりすることを回避することができ、自動装填装置による貝類への自動装填にも一層容易に対応でき、量産性にも優れた貝類挿入止具を実現し提供するものである。
【課題を解決するための手段】
【０００７】
本考案は、棒状の基体と、該基体に設けた吊下体への挿通状態で吊下体の外周部に係止する吊下体係止突片と、前記基体における前記吊下体係止突片よりも端部側から吊下体係止突片側に向けて突設した貝類用の受止片と、貝類用の受止片の一部に設けたこの受止片の突出端側を曲がり易くする凹溝部と、を合成樹脂材等により形成し、吊下体へ挿通して吊下体からの突出部分で貝類を掛け止める貝類挿入止具単体を多数有するとともに、隣り合う貝類挿入止具単体間を、合成樹脂材等からなり可撓性を有する紐状の繋片で並列配置に一体成形により連結して貝類挿入止具群形態とし、前記繋片の一方側の貝類挿入止具単体との連結部を膨出連結部とし、他方側の貝類挿入止具単体との連結部を直結連結部として、前記膨出連結部、直結連結部が規則的に繰り返し配列される形態に構成したことを最も主要な特徴とする。
【考案の効果】
【０００８】
請求項１記載の考案によれば、多数の貝類挿入止具単体を順に取り外す際の個別分離が容易となり、かつ、後続する貝類挿入止具単体の破断防止、離脱防止を図り、貝類挿入止具群から貝類挿入止具単体が破断したり、外れたりすることを的確に回避することができ、自動装填装置による貝類への自動装填にも一層容易に対応でき、更に、量産性にも優れる貝類挿入止具を実現し提供することができる。
【０００９】
請求項２記載の考案によれば、隣り合う貝類挿入止具単体間において、一方の貝類挿入止具単体における一対の吊下体係止突片よりも内側位置と、他方の貝類挿入止具単体の基体における一対の吊下体係止突片の突出位置より内側で、かつ、裏側位置とを、合成樹脂材等からなり可撓性を有する一対の紐状で前記吊下体係止突片よりも細いサイズの繋片で並列配置に一体成形により連結して貝類挿入止具群形態とし、前記各繋片の一方側の貝類挿入止具単体との連結部を各々半球状又は略半球状の膨出連結部とし、他方側の貝類挿入止具単体における基体裏側の連結部を各々直結連結部として、前記膨出連結部、直結連結部が規則的に繰り返し配列される形態とした構成の基に、請求項１記載の考案と同様な効果を奏する貝類挿入止具を実現し提供することができる。
【００１０】
請求項３記載の考案によれば、請求項２記載の考案と同様な構成とし、かつ、貝類挿入止具群を連結方向に巻回して外観が筒体状又は柱体状を呈する構成とすることによって、請求項２記載の考案と同様な効果を奏し、かつ、運搬、保管の便宜をも図ることができる貝類挿入止具を実現し提供することができる。
【００１１】
請求項４記載の考案によれば、請求項３記載の考案と同様な構成とし、かつ、一対の繋片を、合成樹脂材等からなり可撓性を有し紐状で前記吊下体係止突片よりも細いサイズで、かつ、一方の貝類挿入止具単体側がハの字状を呈し、他方の貝類挿入止具単体側が直状を呈する構成の基に、請求項３記載の考案と同様な効果を奏する貝類挿入止具を実現し提供することができる。
【図面の簡単な説明】
【００１２】
【図１】図１は本考案の実施例に係る筒体状形態とした貝類挿入止具を示す概略斜視図である。
【図２】図２は本実施例に係る筒体状形態とした貝類挿入止具の一部を平面状に展開した状態を示す拡大平面図である。
【図３】図３は本実施例に係る貝類挿入止具単体の正面図である。
【図４】図４は本実施例に係る貝類挿入止具単体の平面図である。
【図５】図５は本実施例に係る貝類挿入止具単体の底面図である。
【図６】図６は本実施例に係る貝類挿入止具単体による貝類の吊り下げ状態を示す概略斜視図である。
【考案を実施するための形態】
【００１３】
本考案は、貝類挿入止具群を構成する貝類挿入止具単体のうち、順に取り外す貝類挿入止具単体の個別分離を容易とし、かつ、後続する貝類挿入止具単体の破断防止、離脱防止を図り、貝類挿入止具群から貝類挿入止具単体が破断したり、外れたりすることを回避することができて、自動装填装置による貝類への自動装填にも一層容易に対応でき、量産性にも優れた貝類挿入止具を実現し提供するという目的を、棒状の基体と、該基体の中央側に設けた吊下体への挿通状態で吊下体の外周部に係止する一対の吊下体係止突片と、前記基体における前記一対の吊下体係止突片よりも端部側から各吊下体係止突片側に向けて突設した貝類用の一対の受止片と、前記一対の受止片の一部に設けた各受止片の突出端側を曲がり易くする凹溝部と、を合成樹脂材等により形成し、吊下体へ挿通して一対の吊下体係止突片を吊下体両側に係止するとともに、吊下体から外方へ突出する一対の受止片により貝類を掛け止める貝類挿入止具単体を多数有するとともに、隣り合う貝類挿入止具単体間において、一方の貝類挿入止具単体の一対の吊下体係止突片よりも内側位置と、他方の貝類挿入止具単体の基体における一対の吊下体係止突片の突出位置より内側で、かつ、裏側位置とを、合成樹脂材等からなり可撓性を有する一対の紐状で前記吊下体係止突片よりも細いサイズの繋片で並列配置に一体成形により連結して貝類挿入止具群形態とし、前記各繋片の一方側の貝類挿入止具単体との連結部を各々半球状又は略半球状の膨出連結部とし、他方側の貝類挿入止具単体の基体裏側の連結部を各々直結連結部として、前記膨出連結部、直結連結部が規則的に繰り返し配列される形態に構成することによりにより実現した。
【実施例】
【００１４】
以下、本考案の実施例に係る貝類挿入止具について図１乃至図５を参照して説明する。
【００１５】
図１に示す本実施例に係る貝類挿入止具１０は、例えば合成樹脂材からなる貝類挿入止具単体１を多数備え、前記貝類挿入止具単体１を並列に連結し、かつ、連結方向に沿って巻回し、外観が例えば円筒体形態（又は円柱体形態）を呈するように構成している。
【００１６】
図２は本実施例に係る筒体状形態とした貝類挿入止具１０の一部を平面状に展開した状態を示すものである。
【００１７】
前記多数の貝類挿入止具単体１は、隣り合うもの同士を、詳細は後述する一対の繋片１１、１１で並列配置に、かつ、一体成形により連結して貝類挿入止具群形態としている。
【００１８】
前記貝類挿入止具単体１は、図３乃至図５に示すように、棒状の基体２と、この基体２の中央側に設けた後述する吊下体２０への挿通状態で吊下体２０の外周部に係止するハの字状を呈する一対の吊下体係止突片３、３と、前記基体２における前記一対の吊下体係止突片３、３よりも端部側から各吊下体係止突片３、３側に向けて突設した貝類３０用の一対の受止片４、４と、前記一対の受止片４、４の一部に設けた各受止片４、４の突出端側を曲がり易くする凹溝部５と、を合成樹脂材等により形成し、吊下体２０へ挿通して一対の吊下体係止突片３、３を吊下体２０の両側に係止するとともに、吊下体２０から外方へ突出する一対の受止片４、４により各々貝類３０を掛け止めるように構成している。
【００１９】
前記凹溝部５の形状としては、この凹溝部５、受止片４の突出端部４ａによる貝類３０の抜け落ち防止作用を発揮できる形状であれば、Ｖ溝、Ｕ溝等種々の形状を採用することができる。
【００２０】
次に、前記一対の繋片１１、１１について図２を参照して詳述する。
【００２１】
前記一対の繋片１１、１１は、隣り合う貝類挿入止具単体１、１間において、一方の貝類挿入止具単体１における一対のハの字状を呈する吊下体係止突片３、３よりも内側位置（中央側位置）と、他方の貝類挿入止具単体１の前記基体２における一対の吊下体係止突片３、３の突出位置より内側で、かつ、基体２の裏側位置とを連結している。
【００２２】
すなわち、前記一対の繋片１１、１１は、合成樹脂材等からなり可撓性を有し紐状で前記吊下体係止突片３、３よりも細いサイズに設定され、かつ、一方の貝類挿入止具単体１側がハの字状を呈し、他方の貝類挿入止具単体１側が直状を呈する形状としている。
【００２３】
そして、前記各繋片１１、１１の一方側の貝類挿入止具単体１との連結部を、図２に示すように各々半球状（又は略半球状）の膨出連結部１１ａとし、また、他方側の貝類挿入止具単体１との連結部を各々直結連結部１１ｂとして、このような一対の繋片１１、１１で多数の貝類挿入止具単体１を一定間隔をもって並列配置に連結している。
【００２４】
前記多数の貝類挿入止具単体１、一対の繋片１１、１１は、貝類挿入止具１０を製造する際に例えば金型による樹脂成形により一体的とするものである。
【００２５】
このようにして、貝類挿入止具１０においては、前記膨出連結部１１ａ、直結連結部１１ｂが、多数の貝類挿入止具単体１の配列方向と同方向に規則的に繰り返し配列されるように構成している。
【００２６】
本実施例の貝類挿入止具１０によれば、上述したように、全体として円筒体形態に構成した状態から個々の貝類挿入止具単体１を順に取り外す場合に、前記各繋片１１、１１の一方側の貝類挿入止具単体１との連結部を、各々半球状（又は略半球状）の膨出連結部１１ａとし、また、他方側の貝類挿入止具単体１との連結部を各々直結連結部１１ｂとして、膨出連結部１１ａ側の連結強度を直結連結部１１ｂ側の連結強度よりも大きくしている。
【００２７】
したがって、取り外す側の貝類挿入止具単体１に分離するための力を作用させたときに、取り外す側の貝類挿入止具単体１は、次段の貝類挿入止具単体１から膨出連結部１１ａではなく直結連結部１１ｂの位置の破断により離脱することになる。
【００２８】
次段の貝類挿入止具単体１、三段目の貝類挿入止具単体１、更に後続する貝類挿入止具単体１を各々取り外す場合も、同様に各々直結連結部１１ｂの位置の破断により離脱することになる。
【００２９】
この結果、本実施例の貝類挿入止具１０によれば、多数の貝類挿入止具単体１を順に取り外す際の個別分離を容易とし、かつ、後続する貝類挿入止具単体１の破断防止、離脱防止を図り、貝類挿入止具１０（すなわち貝類挿入止具群）から貝類挿入止具単体１が破断したり、外れたりすることを的確に回避することができ、図示しないが自動装填装置による貝類３０への自動装填にも一層容易に対応できる。
【００３０】
また、本実施例の貝類挿入止具１０は、金型を用いた樹脂成形により製造でき、量産性にも優れる利点もある。
【００３１】
更に、本実施例の貝類挿入止具１０によれば、多数の貝類挿入止具単体１を巻回しした外観形態を円筒状又は円柱体状とすることで、運搬、保管の便宜をも図ることができる。
【００３２】
図６は、上述のようにして分離された個々の貝類挿入止具単体１による貝類３０の吊り下げ状態を示すものである。
【００３３】
すなわち、前記貝類挿入止具単体１により、貝類３０を吊り下げる場合には、まず、吊下体２０に穿設した図６に示す穴２１に基体２の一方の端部２ａ側から貝類挿入止具単体１を挿入する。
【００３４】
前記穴２１への挿入に伴い、貝類挿入止具単体１の一方の受止片４、一方の吊下体係止突片３及び前記直結連結部１１ｂの位置で破断した一方の繋片１１が各々屈曲しつつ穴２１を通り抜ける。
【００３５】
前記穴２１を通り抜けた一方の受止片４、一方の吊下体係止突片３及び一方の繋片１１は、各々それ自体の弾性により元の状態に立ち上がり、この結果、両吊下体係止突片３、３は各々吊下体２０の外周部両側に係止し、これにより、貝類挿入止具１を吊下体２０の定位置に係止することができる。
【００３６】
また、一対の繋片１１、１１は、両吊下体係止突片３、３と、吊下体２０の外周部との間に各々介在することになる。
【００３７】
なお、図６には一個の貝類挿入止具単体１のみを示すが、多数の貝類挿入止具単体１が上述した場合と同様にして吊下体２０の定位置に係止される。
【００３８】
次に、吊下体２０から両側に突出する貝類挿入止具単体１の一対の受止片４、４よりも各々吊下体２０側に貝類３０を挿入する。
【００３９】
具体的には、２個の貝類３０に各々穿設した穴３１に前記端部２ａ、２ａを挿入するようにして２個の貝類３０を各々吊下体２０側に押し込む。
【００４０】
このとき、貝類挿入止具１の一対の受止片４、４が各々一旦屈曲し、貝類３０が通り過ぎるとそれ自体の弾性により元の状態に立ち上がる。
【００４１】
これにより、吊下体２０から両側に突出する貝類挿入止具単体１に対して２個の貝類３０を挿入、保持し、例えば海水中に浸けて養殖することが可能となる。
【産業上の利用可能性】
【００４２】
本考案の貝類挿入止具は、大量の真珠貝、その他の養殖貝類の挿入、支持を行う場合にも好適に適用可能であり、また、自動装填装置を使用して個々の貝類挿入止具単体を真珠貝その他の養殖貝類へ次々と自動装填する場合にも適用可能である。
【符号の説明】
【００４３】
１    貝類挿入止具単体
２    基体
２ａ  端部
３    吊下体係止突片
４    受止片
４ａ  突出端部
５    凹溝部
１０    貝類挿入止具
１１    繋片
１１ａ  膨出連結部
１１ｂ  直結連結部
２０    吊下体
２１    穴
３０    貝類
３１    穴
【図１】
0003164231.tif 000003
【図２】
0003164231.tif 000004
【図３】
0003164231.tif 000005
【図４】
0003164231.tif 000006
【図５】
0003164231.tif 000007
【図６】
0003164231.tif 000008